(57)【要約】  ベッド構造物の構成部材の接続を提供するベッド固定装置であって、ベッド構成部材（１０、２０）の一端に近接して対応的に取り付けられた第１係合部材（１）と第２係合部材（２）を含んでいる。係合部材（１）は、筒状部材（１１）の側部収容体（１５）内に延び入る等間隔で平状仕切板（１２）を備えた長形平行六面体のプラスチック物体を含む。開口部（１４）が連続的な仕切板（１２）と側部収容体（１５）との間に設けられている。係合部材（２）は、側部延伸部が提供されており、垂直的に配向され、等間隔に配置された筒状部材（２１）を備えた長形平状基部（２５）のプラスチック物体を含む。ベッド固定装置並びにベッド構成部材（１０、２０）の係合部材（１）と（２）の係合は、係合部材（２）の筒状部材（２１）を、係合部材（１）の開口部（１４）に導入し、係合部材（１）を垂直下方に移動させることで実行される。 【選択図】１
2016521160.tif 000002
【特許請求の範囲】
【請求項１】
ベッド構造物内の係合部材の接続を提供するように設計されているベッド固定装置であって、
該係合部材は、ベッド構造物の長手方向に延びる一対の側部レール体（１０）と、その横断方向に延びる一対の側部レール体（２０）とを含んでおり、
本ベッド固定装置は、第１係合部材（１）と第２係合部材（２）とを含んでおり、
該第１係合部材（１）は、ベッドの長手方向に延びる側部レール体（１０）のうちの１つの一端に近接して取り付けられ、
該第２係合部材（２）はベッドの横断方向に延びる側部レール体（２０）のうちの１つの一端に近接して取り付けられ、
前記第１係合部材（１）は、一対の同形の小型の平行な長方形下方および上方側部（１ａ、１ｂ）と、一対の垂直に配向された長形側部（１ｃ、１ｄ）とを構成する細長い平行六面体ブロックのプラスチック体を含んでおり、
さらに、開いた状態の前記長形側部（１ｃ、１ｄ）に対応的に対面する一対の長形側部と、前記平行六面体ブロックを長手方向で複数の連続区画に分割している、完全に類似した、前記同形の小型の長方形側部（１ａ、１ｂ）に平行な複数の等距離間隔の平状仕切板（１２）を含んでおり、
前記平状仕切板（１２）のそれぞれには、筒状部材（１１）の側部収容体（１５）と、前記平行六面体ブロックの前記上方側部（１ｂ）の下側に位置する第１側部収容体（１５）と、連続的な前記仕切板（１２）の下側に位置する全ての追加の側部収容体（１５）とが提供されており、
さらに、前記等距離間隔の平状仕切板（１２）と前記側部収容体（１５）との間に提供された開口部（１４）が含まれており、
前記収容体（１５）のそれぞれは台形形状であり、傾斜側部（１６）と、本ベッド固定装置の前記係合部材（１）がベッド構造物の前記レール体（１０）上に垂直に配向されているとき該傾斜側部（１６）の下側に存在し、略水平配向を有した平状表面（１７）と、を含んでおり、
前記第２係合部材（２）は長形平状基部（２５）のプラスチック体を含んでおり、該平状基部（２５）に対して垂直に配向し、その１つの側部で延びる複数の等間隔筒状部材（２１）を含んでおり、該筒状部材（２１）のそれぞれには、台形形状を有し、１つの傾斜側部（２６）を含んだ側部延伸部が提供されており、
該側部延伸部の前記傾斜側部（２６）の下側には前記筒状部材（２１）の平状表面（２７）が存在し、
前記係合部材（２）がベッド構造物の前記側部レール体（２０）に垂直に配向しているとき、該平状表面（２７）は略水平配向を有しており、
本ベッド固定装置の前記ベッド側部レール部材（１０）と（２０）の係合と、前記係合部材（１）および（２）の係合は、該係合部材（１）の前記開口部（１４）内への前記係合部材（２）の前記筒状部材（２１）の導入と、前記係合部材（１）の垂直下方移動とによって実行され、
前記係合部材（２）の前記側部延伸部の前記傾斜側部（２６）は、前記係合部材（１）の前記側部収容体（１５）の前記傾斜側部（１６）上に当接してスライドし、
前記係合部材（２）の前記筒状部材（２１）の前記水平配向側部（２７）が前記係合部材（１）の前記側部収容体の前記水平配向側部（１７）上に当接するとき、本固定装置は係合状態にされる、ことを特徴とするベッド固定装置。
【請求項２】
前記第１係合部材（１）内の前記側部収容体（１５）の前記筒状部材（１１）には貫通穴（１１ａ）が提供されており、
前記平行六面体ブロックをベッド構造物の前記側部レール体（１０）上に固定的に取り付けるために、ボルト手段（１３）が前記貫通穴（１１ａ）を通過しており、
前記第２係合部材（２）内の前記長形平状基部（２５）には複数の等距離間隔の通穴（２５ａ）が提供されており、
前記筒状部材（２１）には貫通穴（２１ａ）が提供されており、ベッド構造物の前記側部レール体（２０）上に前記平状基部（２５）を固定的に取り付けるために、ボルト手段（２３）が該貫通穴（２１ａ）を通過すると共に、ボルト手段（２４）は前記通穴（２５ａ）を通過していることを特徴とする請求項１記載のベッド固定装置。
【請求項３】
前記第２係合部材（２）内の前記長形平状基部（２５）には、その底部に可撓性平状帯延長部（２８）が提供されており、
該可撓性平状帯延長部（２８）には突起部（２９）が提供されており、
本ベッド固定装置が前記第１係合部材（１）の垂直への下方移動により係合状態へ導かれるとき、前記第１係合部材（１）の下方表面（１ａ）の端縁部は、前記第２係合部材（２）の前記可撓性平状帯延長部（２８）と接触状態でスライドするように設計されており、
前記第１係合部材（１）の下方表面（１ａ）の端縁部が、前記第２係合部材（２）の前記可撓性平状帯延長部（２８）の前記突起部（２９）を飛び越えるとき、係合状態の達成の確認のために可聴信号が発生することを特徴とする請求項１記載のベッド固定装置。
【請求項４】
ベッド構造物の横断方向に延びる前記側部レール体（２０）の１つは、ベッドの上部に位置し、マットレスの高さの上方に延び出る頭板として設計されている、請求項１記載のベッド固定装置。
【請求項５】
ベッド構造物の組み立て方法であって、ベッド構造物は、ベッド構造物の長手方向に延びる一対の側部レール体（１０）と、ベッド構造物の横断方向に延びる一対の側部レール体（２０）と、請求項１から４のいずれかに記載のベッド固定装置とを含んでおり、
該ベッド固定装置は、第１係合部材（１）と第２係合部材（２）とを含んでおり、
該第１係合部材（１）は、ベッドの長手方向に延びる側部レール体（１０）のうちの１つの一端に近接して取り付けられ、
該第２係合部材（２）はベッドの横断方向に延びる側部レール体（２０）のうちの１つの一端に近接して取り付けられ、
前記ベッド固定装置と、ベッドのレール体（１０、２０）の前記係合部材（１、２）の係合は、
取り付けられた前記ベッド固定装置の前記第１係合部材（１）を備えた側部レール体（１０）を、取り付けられた前記ベッド固定装置の前記第２係合部材（２）を備えた側部レール体（２０）に近接させ、
前記ベッド固定装置の前記第２係合部材（２）に隣接させて、前記側部レール体（１０）の前面を前記側部レール体（２０）に当接させ、
前記第１係合部材（１）を前記ベッド固定装置の前記第２係合部材（２）の上方に僅かに延出させて、前記第２係合部材（２）の前記筒状部材（２１）を前記第１係合部材（１）の前記通穴（１４）の前方に配置する段階と、
前記横断方向に前記側部レール体（１０）を移動させ、前記第１係合部材（１）の前記通穴（１４）内に前記第２係合部材（２）の前記筒状部材（２１）を進入させる段階と、
前記側部レール体（１０）を垂直下方に押し、前記第２係合部材（２）の前記側部延伸部の前記傾斜側部（２６）が、前記第１係合部材（１）の前記側部収容体の前記傾斜側部（１６）上に当接してスライドするとき、前記ベッド固定装置および前記側部レール体（１０、２０）の前記係合部材（１、２）を進行的に係合させる段階と、を含み、その係合は、前記第２係合部材（２）の前記筒状部材（２１）の水平配向側部（２７）が、前記第１係合部材（１）の前記側部収容体の対応する水平配向側部（１７）上に当接するときに終了することを特徴とする組み立て方法。
【発明の詳細な説明】
【技術分野】
【０００１】
本発明は、ベッド構成部材、すなわち、ベッド骨組みを形成するレール体、および頭板の確実な取り付けと支持とを提供するように設計されているベッド骨組み固定装置に関する。
【背景技術】
【０００２】
ベッド骨組みを形成するレール体、すなわち、ベッド構造物の枠体の相互接続、並びに、ベッドの頭板へのベッド骨組みの掛け金留めのために様々な固定手段が利用されることは知られており、そのような固定手段は、側部レール体に取り付けられた固定部材を相互ロックするように隅柱体に適用され、その前方に延びて、別な固定部材が隣接する側部レール体あるいは頭板に取り付けられている。重力に対して十分な支持を付与できるよう十分な強度と剛性を提供することができるような固定部材の荷重支持力が必要である。
【０００３】
頭板へのベッド枠体のこのような固定形態には、通常は金属製掛け留め部材が利用される。そのようなベッドの使用はやがてはそのような固定手段の性能劣化を招くことは知られている。ベッドの上に人が横たわり、ベッド構造物に対して身体を動かすときに軋み音を発するベッド支持機能へのそのような金属製掛け留め部材の緩くて軋むような接続状態により、ベッドで利用されるそのような固定手段は概して不安定化する。
【０００４】
そのような不十分な荷重支持性能の１つの理由は、ベッド骨組みの荷重、その上に存在するマットレスの荷重および人の荷重が、過剰な重力負担が作用することになる相当に小さな荷重支持表面積を有した荷重支持部材によって受領されるという事実である。例えば、ＵＳ３７８０３８６（特許文献）またはＵＳ３３０５８８０（特許文献）は、一対の支持ピンによって支持される一対の金属シート製の掛留め手段を含んだベッド枠体のための機械的固定具を開示する。支持ピンは、これまで望ましくはない過剰な作用力を受領するように使用されてきた小さな表面積を有している。さらに、そのような固定部材の構造においては、支持されるベッドの均等荷重を受領して分配するように、前記の両方の支持ピンが実質的に等しく荷重されているか否かは確かではなかった。従って、もし、ベッド構造物の組み立てにおいて少々の整合誤差でも発生すれば、相互的に固定しているベッドの一方の構成部材を過剰な荷重状態に導き、不十分な性能の発揮および急速な磨耗に繋がり兼ねない。よって、従来技術のベッド固定具は、使用されている固定具のそれぞれの荷重分配部材に対する不均等荷重の弱点を有しており、すなわち、ベッド骨組みの四隅柱体で使用される４体の固定具の不均等荷重の弱点を有している。
【０００５】
一方、そのような掛留め部材が望ましくない程度に固く相互ロック接続状態になることもあり得、その場合にはベッドの分解が必要になったとき、その分解が困難化する。さらに、ベッドレール体および頭板のそれぞれへのそのような掛留め部材の取り付けのためにボルトを採用すること以外に、それらを係合状態で固定的に保持するためには、さらなる接続付属品がしばしば必要となる。
【０００６】
従来技術のそのようなベッド固定装置は、名目上の設定係合状態の達成の確認において、ベッド構造物の組み立てを実行する人に信号を提供する手段を備えておらず、そのような名目上の設定係合状態の達成の信号の欠如は整合不正の可能性に導き、間違いなくベッド固定を軋んだ不快な接続状態および欠陥接続に導くであろう。従来技術の固定装置は、単ステップによる固定のための係合部材の係合状態を達成する形態で使用され、確実な固定には、まず係合部材同士を係合位置に配置する第１の段階を必要とし、その後に徐々に締め付け処理し、確実に固定されたその接続を確認する段階が続くであろう。さらに、従来技術は自動的および確実に固定具を係合状態でロックし、ベッド構造物の分解が必要なときに、それを適切にロック解除する手段を教示しない。
【発明の概要】
【発明が解決しようとする課題】
【０００７】
本発明の目的は、ベッド骨組みを形成するレール体のベッド構成部材およびベッド骨組み、並びに頭板の確実な取り付け、および支持を提供するように設計されたベッド骨組み固定具の提供であり、本発明のベッド固定具はプラスチック材料製であり、ベッド構成部材の無音的安定取り付けを提供し、ベッド骨組みの四隅柱体のそれぞれの４体の固定具は、均等荷重を受領するように設計されており、それぞれの固定具は、複数の荷重受領部材のそれぞれで均等に荷重されるように設計されており、係合状態になったとき、それぞれの固定具の一対の係合部材は徐々に締め付けられ、それぞれの固定具には、最終的に達成される係合状態となるように固定具を確実にロックし、ベッド構造物の分解が必要なときには、それらを適切にロック解除させる手段が提供され、そのような手段は、名目上の設定係合状態の達成を確認する音響信号を提供するように設計されており、軋み音を発生させる接続およびベッド固定の不完全性の原因となる整合不良および不正係合の可能性を回避する。
【課題を解決するための手段】
【０００８】
本発明の１好適実施態様によれば、固定装置は一対の係合部材を含み、その第１係合部材は、一対の同形小型平行長方形側部と４つの長形側部とを備えて形状化された長形平行六面体ブロックを含んでおり、この平行六面体ブロックは、対の同形小型長方形側部に同形的に類似して平行である等距離間隔の平状仕切板の手段によって長手方向で複数の連続区画に分割されており、それぞれの等距離間隔平状仕切板のそれぞれには、ベッド骨組み構成物の一対の係合部材の第１係合部材上に平行六面体ブロックを固定的に取り付けるためのボルト手段を受領するように設計された等数の筒状部材の側部収容体が提供されており、それぞれの側部収容体は傾斜側部を有しており、第２係合部材は、ベッド骨組み構成物の上記の対の係合部材の第２係合部材上に、平状基部を固定的に取り付けるためのボルト手段を受領するように設計された複数の等距離間隔の通穴が提供された長形平状基部を含んでおり、複数の等距離間隔の筒状部材は上記の等距離間隔の通穴間に平状基部の片側で延びており、その筒状部材は、平状基部をベッド骨組み構成物の上記の対の係合部材の第２係合部材に固定的に取り付けるための別なボルト手段を受領するように設計されており、それぞれの筒状部材には、１つの傾斜側部を含んだ長方形状を備えた側部延伸部が提供されており、前記のベッド骨組み固定装置の対の係合部材は、前記第２の係合部品の筒状部材が、前記平状仕切板と、第１係合部材でその上に提供された側部収容体との間の間隙内に導入されるときに係合状態にされ、第２係合部材の側部延伸部の傾斜側部は、第２の係合部材の筒状部材の水平に方向付けられた側部が、第１係合部材の側部収容体の水平に配向された側部に当接するまで第１係合部材の側部収容体の傾斜側部に当接して滑走し、ベッド骨組み固定装置の第１係合部材と第２係合部材の確実な固定係合が達成される。
【０００９】
本発明の１好適実施態様によれば、可撓性平状帯延長部が第２係合部材の最下方筒状部材の底部に提供され、そのような可撓性平状帯延長部には突起する突起部が提供されており、可撓性平状帯延長部は下方に方向付けられており、長形平状基部の底部は前記第２係合部材を構成しており、ベッド固定装置が係合状態で導かれるとき、第１係合部材の底部の端縁部は前記第２係合部材の可撓性平状帯延長部と接触状態でスライドするように設計されており、第１の平状帯延長部の底部の前記端縁部が、前記可撓性平状帯延長部の前記延伸突起部上に当接するとき、係合状態の達成を確認する可聴信号を発生する。
【００１０】
本発明は、添付の図面に関わる説明から当業界の技術者に良く理解されるであろう。
【図面の簡単な説明】
【００１１】
【図１】ベッド骨組み構造物の第１係合部材と第２係合部材の対に固定的に取り付けるために使用されるボルトを含んでいる本発明のベッド固定装置の第１係合部材および第２係合部材の分解斜視図である。
【図２】典型的なベッド側部レール体の隅柱体に取り付けられたベッド固定装置の第１係合部材の斜視図である。
【図３】典型的な頭板の隅柱体に取り付けられたベッド固定装置の第２係合部材の斜視図である。
【図４】ベッド固定装置の第２係合部材が取り付けられ、ベッド固定装置の第１係合部材が係合状態にある図３の典型的な頭板の斜視図である。
【図５】ベッド構造物の隅柱体を示しており、ベッド側部レール体は、組み立て状態で図示されている本発明のベッド固定装置の手段によって頭板に接続されている。
【図６】本発明のベッド固定装置の第１係合部材の詳細図である。
【図７】本発明のベッド固定装置の第２係合部材の詳細図である。
【図８】本発明のベッド固定装置の第１係合部材と第２係合部材の組み立て物の詳細図である。
【発明を実施するための形態】
【００１２】
本発明は、ベッド構造物の構成要素を相互接続するのに使用されるベッド固定装置に関する。そのような構成要素は、ベッド構造物の長手方向に延びる一対の側部レール体と、それらの横断方向に延びる一対の側部レール体とを含む。それら４本の側部レール体はベッド構造物の四隅柱体にて、等数のベッド固定装置によってそれぞれ接続される。普通のベッド構造物においては、全てのそのような側部レール体は同形態であり、長さが異なるだけであり、横断方向の側部レール体は長手方向の側部レール体よりも短い。横断方向に延びる側部レール体の１つは、ベッドの頭部端に位置する頭板として形態化されており、ベッドマットレスの上面よりも上方に延び出ている。図面は、第１係合部材１と第２係合部材２とを含んだ本発明のベッド固定装置を図示しており、その第１係合部材１は、ベッドの長手方向に延びる相対的に長い側部レール体１０の一方の一端に近接して取り付けられており、第２係合部材２はベッドの頭板２０に、その一端に近接して取り付けられている。
【００１３】
図１で示すように、本発明のベッド固定装置は、対になった第１係合部材１と第２係合部材２とを含んでおり、それら両方はプラスチック原料製であり、ベッド構成要素のノイズフリー（無軋み音）である確実な取り付け状態を提供する。
【００１４】
本発明の１好適実施例によれば、ベッド固定装置の第１係合部材１は、一対の同形の小型の平行な長方形側部１ａと１ｂ、およびそれらに直角に方向付けられた（配向された）一対の長形側部１ｃと１ｄを含んだ長形の略平行六面体ブロックを含む。上記の長形側部１ｃおよび１ｄに対応的に対面する形態の別な一対の長形側部は開いたままである。第１係合部材１の平行六面体ブロックは、同形小型で、同形小型平行長方形側部１ａと１ｂに平行な等距離間隔に配置された平状仕切板１２によって長手方向で複数の連続区画に分割されている。それぞれの等距離間隔に配置された平状仕切板１２には、等数の筒状部材１１の側部収容体１５が提供されている。その第１側部収容体は実質的に垂直方向に配向される平行六面体ブロックの表面１ｂの下側に位置し、全ての別の側部収容体は、順番に仕切板１２の下側に順番に提供されている。開口部１４は、等距離間隔の平状仕切板１２と側部収容体１５との間に提供され、以下で説明するように、本発明の固定装置の第２係合部材２の筒状部材の進入を許容する。
【００１５】
それぞれの側部収容体１５は、平行六面体ブロックを、ベッド骨組み構造物の一対の係合部材の第１係合部材に固定的に取り付けるための、特に、図２で示すようなベッド構造物の長手方向に延びる側部レール体１０の端部に近接させて固定的に取り付けるための、その筒状部材１１の貫通穴１１ａを通過するボルト手段１３を受領するように設計されている。
【００１６】
本発明のベッド固定装置の第２係合部材２は、実質的に垂直方向に配向されている平状基部２５を、上述のベッド骨組み構造物の係合部材の対の第２係合部材に固定的に取り付けるための、特に、図３で示すような頭板構成要素に、その端部に近接させて固定的に取り付けるためのボルト手段２４を受領するように設計された複数の等距離間隔に配置された通穴２５ａが提供されている長形平状基部２５を含む。
【００１７】
この点で、頭板構成要素２０の端部の縁線２０’からの、ベッド固定装置の垂直配向した第２係合部材２の距離は、長手方向に延びる側部レール構成要素（体）１０の厚みと等しい。従って、側部レール構成要素１０の端部の縁線１０’からのベッド固定装置１の垂直配向した第１係合部材１の距離は、ベッド固定装置の第２係合部材２の平状基部２５の厚みに等しい。この態様の対応した係合するベッド構成要素１０と２０に取り付けられたベッド固定装置の係合部材１と２で、これらが係合状態にされると、長手方向に延びる側部レール構成要素１０は頭板の構成要素２０に当接し、そこに取り付けられた隣接して位置する第２係合部材２と同じ高さになり、同時に延びて、その外側が頭板の構成要素２０の外側と同一高さになり、図５で示す組み立てられた固定装置の詳細図に図示されているように、その縁線１０’は頭板の構成要素２０の縁線２０’と一致する。
【００１８】
ベッド固定装置の第２係合部材２は、複数の等距離間隔に配置された筒状部材２１をさらに含んでいる。これらは平状基部２５に対して直角に配向され、上記の等距離間隔の通穴２５ａ間で片側に延び出る。これら筒状部材２１は、平状基部２５をベッド骨組構造物の前述の対の係合部材の第２係合部材に固定的に取り付けるための、特に図３で示すごとき典型的な頭板部材２０に固定的に取り付けるためのボルト手段２３を受領するように設計されている貫通開口部２１ａを含む。
【００１９】
本発明のベッド固定装置の係合部材２のそれぞれの筒状部材２１には側部延伸部が提供されており、この側部延伸部は略方形部を有しており、本発明の好適実施例によれば、１つの傾斜側部２６を含んだ台形形態物を有しており、筒状部材２１の平状表面２７は、台形形態を有した側部延伸部の上述の傾斜側部２６の下側に存在し、実質的に水平配向されたそのような平状表面２７は、係合部材２のように、ベッド構造物の頭板部材２０に垂直に配向される。
【００２０】
従って、本発明のベッド固定装置の係合部材１のそれぞれの収容体１５は、傾斜側部１６を含んだ略方形の、好適には台形の形状部も含んでおり、その平状表面１７は上述の傾斜側部１６の下側に存在し、ベッド固定装置の係合部材１がベッド構造物の側部レール部材（体）１０上に垂直に配向されるとき実質的に水平に配向される。
【００２１】
ベッド固定装置の係合部材１と２を係合するには、従ってベッド構成要素１０と２０を係合するには、側部レール体１０と第１係合部材１とを、その適した位置で係合させ（図２）、ベッド固定装置と係合状態となるようにする。すなわち、側部レール体１０の前面を、そこに取り付けられた固定装置の係合部材２に隣接して頭板２０の表面に当接させ（図３）、係合部材１は係合部材２の少々上方へ延び出て、その筒状部材２１を、係合部材１の開口部１４内に進入させ、側部レール体１０を横方向に移動させ、係合部材２の筒状部材２１を係合部材１の開口部１４内に進入させ、最後に側部レール体１０を垂直的に下方にスライドさせ、本発明のベッド固定装置の係合部材１と２を係合させる（図４と図５）。本発明のベッド固定装置は、係合部材１と２の確実で堅牢な取り付けと、係合部材２の複数の筒状部材２１のそれぞれの均等に配分された荷重を保証する。これは、第２係合部材２（図７）の側部延伸部の傾斜側部２６が第１係合部材１（図６）の側部収容体の傾斜側部１６上に当接してスライドするときの徐々に進行する締め付けのおかげであり、第２係合部材２の筒状部材２１の水平に配向した側部２７が第１係合部材（図８）の側部収容体の、対応して水平に配向した側部１７に当接するとき、そのプロセスは終了し、ベッド骨組み構造物固定装置の第１係合部材と第２係合部材の確実で堅牢な係合が得られる。
【００２２】
本発明の１好適実施例によれば、可撓性の平状帯延長部２８が、第２係合部材２の最下方筒状部材２１の下方に長形平状基部２５の底部に提供されており、そのような可撓性の平状帯延長部２８には突起部２９が提供されている。本発明のベッド固定装置の係合部材１と２の組み立て時に、第１係合部材１の底表面１ａの端縁部は、ベッド固定装置が係合部材１の垂直下方移動と係合状態にて導かれるとき、第２係合部材２の可撓性平状帯延長部２８と接触状態でスライドするように設計されており、第１係合部材１の底表面１ａの端縁部が第２係合部材２の可撓性平状帯延長部２８の上述の突起部２９を飛び越えるとき、係合条件の達成を確認する可聴信号１が発生する。従って、係合状態が達成されると、ベッド固定装置はその場でロックされる。なぜなら、第１係合部材１の上方への垂直移動は突起部２９の前方平状面によって妨害されるからであり、ベッドの分解が必要になったら、ユーザは、図５または図８で示すように組み立てられた固定装置の下方に突起するその可撓性平状帯延長部２８を下方に押し下げなければならず、突起部２９の前方平状面によって与えられる障害を克服し、固定装置の係合部材１と２の係合の解除を実行する。
【００２３】
本発明を様々な実施例によって説明してきたが、それらは本発明の説明のためだけに提供されており、当業界の技術者であれば、発明の精神から逸脱せずにそれらに変更や改良を施すことが可能であることは承知しているであろう。よって、そのような変更や改良は本発明の範囲に属するものである。
【図１】
2016521160.tif 000003
【図２】
2016521160.tif 000004
【図３】
2016521160.tif 000005
【図４】
2016521160.tif 000006
【図５】
2016521160.tif 000007
【図６】
2016521160.tif 000008
【図７】
2016521160.tif 000009
【図８】
2016521160.tif 000010
【国際調査報告】
2016521160.tif 000011
2016521160.tif 000012